(57)【要約】 【課題】センサ等を駆動するための電源が不要であり、またデータを判別するための機器を必要としない。設置場所の制約を除き取り付けのための複雑な作業を防止する。また、携帯可能な加速度評価装置を提供する。 【解決手段】ガイド６が形成する一定の空間内において、永久磁石と軟磁性体とを組み合わせて可動部１と固定部２および５を構成し、可動部と固定部の永久磁石は互いにその磁力が反発するように配置し、加えられた加速度の大きさに依存して、可動部１が固定部２に近づき固定部２と磁気的に吸着・結合する現象を利用して、その結合状態を保持する。  また、可動部周辺に電気回路を配置し、可動部の動きに応じて電気回路を接断する機構を設けて、加速度の大きさに依存する可動部の動きを電気的なスイッチとして利用する。【選択図】図１
2007205844.tif 000002
【特許請求の範囲】
【請求項１】
周囲のいずれにも固定されていない、永久磁石からなる可動部と該可動部が永久磁石の磁極面に直角な方向に直線状に自在に、その内部またはそれにより構成された空間を移動することが可能で、かつ可動部の移動が外部から目視可能なガイドと、該ガイドの一端は平板上の材料で封じられて底板として機能し、底板には当該ガイドを立てて固定・安定化させるための機構を備えており、該ガイドの内側で底板に固定されて配置された永久磁石と、該永久磁石の一方の磁極面に磁力によって吸着・一体化されている軟磁性体からなる固定部から構成され、該可動部の永久磁石と該固定部の永久磁石は、可動部と固定部の両方の永久磁石の構造中心軸が一本の直線に一致して、かつ同じ磁極の極性面が対向して、さらに固定部の永久磁石に吸着する軟磁性体が可動部側に対向して配置されており、可動部と固定部は、互いの永久磁石の磁力の反発力により、該可動部がガイド内の該固定部の上部空間に浮上状態を維持する構造で、設定値以上の加速度が装置に作用したときに、加速度により可動部が移動して固定部側に近づき、固定部の軟磁性体の極性変化により、可動部と固定部が磁気的に吸着し、その吸着状態を保持することを特徴とする加速度評価装置
【請求項２】
ガイドの外部に作られた電気回路の一部をなす電気導体等が、固定部の軟磁性体の可動部側磁極近辺に配置されており、設定値以上の加速度が装置に作用したときに、加速度により可動部が移動して固定部側に近づき、固定部の軟磁性体が極性変化して、可動部と固定部が磁気的に吸着することにより、当該電気回路を電気的に接続または切断する機構を持ち、その磁気的吸着状態を保持することを特徴とする請求項１に記載の加速度評価装置  
【請求項３】
周囲のいずれにも固定されていない、永久磁石からなる可動部と該可動部が永久磁石の磁極面に直角な方向に直線状に自在に、その内部またはそれにより構成された空間を移動することが可能で、かつ可動部の移動が外部から目視可能なガイドと、該ガイドの一端は平板上の材料で封じられて底板として機能し、底板には当該ガイドを立てて固定・安定化させるための機構を備えており、該ガイドの内側で底板に固定されて配置された永久磁石と、該永久磁石の一方の磁極面に磁力によって吸着・一体化されている二組の軟磁性体からなる固定部から構成され、該可動部の永久磁石と該固定部の永久磁石は、可動部と固定部の両方の永久磁石の構造中心軸が一本の直線に一致して、かつ同じ磁極の極性面が対向して、さらに固定部の永久磁石に吸着する軟磁性体が可動部側に対向して配置されており、可動部と固定部は、互いの永久磁石の磁力の反発力により、該可動部がガイド内の該固定部の上部空間に浮上状態を維持する構造で、設定値以上の加速度が装置に作用したときに、加速度により可動部が移動して固定部側に近づき、固定部の軟磁性材料の極性変化により、可動部と固定部が磁気的に吸着し、その後軟磁性体の極性変化により二組の軟磁性体の対向面において磁気的に分離して、可動部側にある軟磁性体のみが可動部と一体となり新たな組み合わせの可動部を形成し、固定部永久磁石との結合状態から離れることにより、新たな可動部が固定部の上部空間に浮上する状態を保持することを特徴とする加速度評価装置  
【請求項４】
ガイドの外部につくられた電気回路の一部をなす電気導体等が、固定部の二組の軟磁性体の間の磁極近辺に配置されており、設定値以上の加速度が装置に作用したときに、加速度により可動部が移動して固定部側に近づき、固定部の軟磁性体の極性変化により、可動部と固定部の軟磁性体が磁気的に吸着し、その後軟磁性体の極性変化により２組の軟磁性体の対向面において磁気的に分離して、可動部側にある軟磁性体のみが可動部と一体となり新たな組み合わせの可動部を形成し、固定部永久磁石との結合状態から離れることにより、当該電気回路を電気的に接続または切断する機構を持ち、かつ新たな可動部が固定部の上部空間に浮上する状態を保持することを特徴とする請求項３に記載の加速度評価装置  
【請求項５】
固定部が設置されている端と対向するガイドの端に設けられた封止板に固定されて、同じ構成からなる固定部が配置されてなり、可動部は二組の固定部の中間に配置され、二組の固定部の永久磁石の可動部側磁極の極性は、対向する可動部の永久磁石の磁極と同じ極性を示すように配置されてなり、かつ、該可動部は両固定部からの磁力の反発力により、両固定部の間に存在している構造である事を特徴とする請求項１ないし２、または３ないし４に記載の加速度評価装置  
【請求項６】
可動部と固定部とガイドから構成された加速度評価装置を一ユニットとして、このユニットをＸ、Ｙ、Ｚの３軸に直交するように配置して一体とした構成であることを特徴とする請求項５に記載の加速度評価装置  
【発明の詳細な説明】
【技術分野】
【０００１】
本発明は、加速度に反応して、設定値以上の大きさの加速度に対して、永久磁石と軟磁性体とが磁気的に吸着・結合することにより、加速度の大きさを評価する加速度評価装置に関する。
【背景技術】
【０００２】
既存の加速度センサを用いて、加速度や衝撃を検出することによって、  特許文献１の「防犯・防災システム」、特許文献２の「墜落検知センサー」、特許文献３の「盗難追跡及び緊急通報装置」、特許文献４の「車両用エアバック装置」、特許文献５の「車両事故通報システム」、特許文献６の「車両事故記録装置」などが利用されている。
【０００３】
また、地震発生時に電気回路を短絡させ、確実にブレーカーを遮断するものとして、特許文献７、もしくは、特許文献８の「感震短絡装置」、および、特許文献９の「振動を関知し漏電ブレーカを作動させる装置」が利用されている。地震発生から避難時間を考慮してタイマーを設けて作動する特許文献１０の「主幹漏電ブレーカー用感震センサー」も利用されている。
【特許文献１】特開平１１−３１２８６号公報
【特許文献２】特開２０００−２８３９９５号公報
【特許文献３】特開２００３−３６４９３号公報
【特許文献４】特開平１０−７１９１１号公報
【特許文献５】特開平８−２８７３８６号公報
【特許文献６】特開２００１−５５１７５号公報
【特許文献７】特開平１０−１２２９４６号公報
【特許文献８】特開２００２−８３５３０号公報
【特許文献９】登録実用新案第３０５７３９７号公報
【特許文献１０】特開２０００−２４３２１１号公報
【発明の開示】
【発明が解決しようとする課題】
【０００４】
既存のセンサを用いた場合、例えば特許文献１〜６に記載されているように、センサの駆動のための電源が必要であったり、また例えば加速度センサの出力信号が設定値を超えた場合に動作する回路を用いてデータの判別を行う場合には、それらの機器が必要となるため、構成が大掛かりになり、取り付けや判別の作業が複雑になる。  また、加速度によってこれら機器が故障したり、断線しやすくなる。
【０００５】
さらに、このように、構成や取り付け作業が複雑になるため携帯して使用することが困難である、という欠点があった。
【０００６】
また、特許文献７〜１０に記載されているように、地震発生時に電気回路を短絡する装置は、構成が複雑なうえ、精度が確定しにくく、誤動作しやすい構造となっている。
【０００７】
本発明の目的は、従来の技術が有していた問題を解決し、センサ等を駆動するための電源が不要で、またデータを判別するための機器などが必要なく、取り付けのための複雑な作業が防止できる、さらには外部から加わった加速度の大きさが、設定値を越えていないかを目視や配線の接続によって直ちに確認できる加速度評価装置を提供することにある。
【０００８】
また、携帯することが容易である携帯用加速度評価装置として、例えば美術品などの輸送時に携帯することで、設定値以上の加速度を加えていないかの検査や、地震の震度評価装置として、地震後に回収し評価できる装置など、従来にない携帯用加速度評価装置を提供することにある。
【課題を解決するための手段】
【０００９】
本発明者らは、上記の現状に鑑み、鋭意検討を行った結果、次の発明を完成させるに至った。
【００１０】
第一の発明は、周囲のいずれにも固定されていない、永久磁石からなる可動部と該可動部が永久磁石の磁極面に直角な方向に直線状に自在に、その内部またはそれにより構成された空間を移動することが可能で、かつ可動部の移動が外部から目視可能なガイドと、該ガイドの一端は平板上の材料で封じられて底板として機能し、底板には当該ガイドを立てて固定・安定化させるための機構を備えており、該ガイドの内側で底板に固定されて配置された永久磁石と、該永久磁石の一方の磁極面に磁力によって吸着・一体化されている軟磁性体からなる固定部から構成され、該可動部の永久磁石と該固定部の永久磁石は、可動部と固定部の両方の永久磁石の構造中心軸が一本の直線に一致して、かつ同じ磁極の極性面が対向して、さらに固定部の永久磁石に吸着する軟磁性体が可動部側に対向して配置されており、可動部と固定部は、互いの永久磁石の磁力の反発力により、該可動部がガイド内の該固定部の上部空間に浮上状態を維持する構造で、設定値以上の加速度が装置に作用したときに、加速度により可動部が移動して固定部側に近づき、固定部の軟磁性体の極性変化により、可動部と固定部が磁気的に吸着し、その吸着状態を保持することを特徴とする加速度評価装置、である。
【００１１】
第二の発明は、第一の発明に記載の加速度評価装置において、ガイドの外部に作られた電気回路の一部をなす電気導体等が、固定部の軟磁性体の可動部側磁極近辺に配置されており、設定値以上の加速度が装置に作用したときに、加速度により可動部が移動して固定部側に近づき、固定部の軟磁性体が極性変化して、可動部と固定部が磁気的に吸着することにより、当該電気回路を電気的に接続または切断する機構を持ち、その磁気的吸着状態を保持することを特徴とする加速度評価装置、である。
【００１２】
さらに第三の発明は、周囲のいずれにも固定されていない、永久磁石からなる可動部と該可動部が永久磁石の磁極面に直角な方向に直線状に自在に、その内部またはそれにより構成された空間を移動することが可能で、かつ可動部の移動が外部から目視可能なガイドと、該ガイドの一端は平板上の材料で封じられて底板として機能し、底板には当該ガイドを立てて固定・安定化させるための機構を備えており、該ガイドの内側で底板に固定されて配置された永久磁石と、該永久磁石の一方の磁極面に磁力によって吸着・一体化されている二組の軟磁性体からなる固定部から構成され、該可動部の永久磁石と該固定部の永久磁石は、可動部と固定部の両方の永久磁石の構造中心軸が一本の直線に一致して、かつ同じ磁極の極性面が対向して、さらに固定部の永久磁石に吸着する軟磁性体が可動部側に対向して配置されており、可動部と固定部は、互いの永久磁石の磁力の反発力により、該可動部がガイド内の該固定部の上部空間に浮上状態を維持する構造で、設定値以上の加速度が装置に作用したときに、加速度により可動部が移動して固定部側に近づき、固定部の軟磁性材料の極性変化により、可動部と固定部が磁気的に吸着し、その後軟磁性体の極性変化により二組の軟磁性体の対向面において磁気的に分離して、可動部側にある軟磁性体のみが可動部と一体となり新たな組み合わせの可動部を形成し、固定部永久磁石との結合状態から離れることにより、新たな可動部が固定部の上部空間に浮上する状態を保持することを特徴とする加速度評価装置、である。
【００１３】
第四の発明は、第三の発明に記載の加速度評価装置において、ガイドの外部につくられた電気回路の一部をなす電気導体等が、固定部の二組の軟磁性体の間の磁極近辺に配置されており、設定値以上の加速度が装置に作用したときに、加速度により可動部が移動して固定部側に近づき、固定部の軟磁性体の極性変化により、可動部と固定部の軟磁性体が磁気的に吸着し、その後軟磁性体の極性変化により２組の軟磁性体の対向面において磁気的に分離して、可動部側にある軟磁性体のみが可動部と一体となり新たな組み合わせの可動部を形成し、固定部永久磁石との結合状態から離れることにより、当該電気回路を電気的に接続または切断する機構を持ち、かつ新たな可動部が固定部の上部空間に浮上する状態を保持することを特徴とする加速度評価装置、である。
【００１４】
第五の発明は、第一ないし第二、または第三ないし第四の発明に記載の加速度評価装置において、固定部が設置されている端と対向するガイドの端に設けられた封止板に固定されて、同じ構成からなる固定部が配置されてなり、可動部は二組の固定部の中間に配置され、二組の固定部の永久磁石の可動部側磁極の極性は、対向する可動部の永久磁石の磁極と同じ極性を示すように配置されてなり、かつ、該可動部は両固定部からの磁力の反発力により、両固定部の間に存在している構造である事を特徴とする加速度評価装置、である。
【００１５】
第六の発明は、第五の発明に記載の加速度評価装置において、可動部と固定部とガイドから構成された加速度評価装置を一ユニットとして、このユニットをＸ、Ｙ、Ｚの３軸に直交するように配置して一体とした構成であることを特徴とする加速度評価装置、である。
【００１６】
このように、本発明においては、ガイドが形成する一定の空間内において、永久磁石と軟磁性体とを組み合わせて可動部と固定部を構成し、可動部と固定部の永久磁石は互いにその磁力が反発するように配置し、加えられた加速度の大きさに依存して可動部が固定部側に近づき、固定部の軟磁性体の極性変化により、可動部と固定部が磁気的に吸着・結合し、その結合状態を保持することを特徴とした、電源等の不要な、シンプルな構成で加速度を評価する装置を提案した。（第一の発明）
【００１７】
さらには、本発明においては、ガイドが形成する一定の空間内において、永久磁石と軟磁性体とを組み合わせて可動部と固定部を構成し、可動部と固定部の永久磁石は互いにその磁力が反発するように配置し、加えられた加速度の大きさに依存して可動部が固定部側に近づき、固定部の軟磁性体の極性変化により、可動部と固定部が磁気的に吸着・結合し、その後新たな組み合わせの可動部を形成し、固定部永久磁石との結合状態から離れることにより、新たな可動部が固定部の上部空間に浮上する状態を保持することを特徴とした、電源等の不要な、シンプルな構成で加速度を評価する装置を提案した。（第三の発明）  
【００１８】
また本発明によれば、第一または第三の発明に加えて、ガイドの外部に作られた電気回路の一部をなす電気導体等が、加えられた加速度の大きさに依存して、可動部と固定部が磁気的に吸着・結合または脱着・分離する際に、当該電気回路を電気的に接続または切断する機構を付属させて、加速度の強さと外部電気回路が連動したスイッチ機能を設けた加速度評価装置を提案した。（第二および第四の発明）
【００１９】
また本発明によれば、第一ないしは第二、または第三ないしは第四の発明に加えて、可動部が二組の同じ構成の固定部の間に挟まれて存在し、可動部が加えられた加速度の大きさに依存していずれの固定部方向に近づいても、可動部と固定部が磁気的に吸着・結合または脱着・分離し、その状態を保持することを特徴とした加速度評価装置を提案した。（第五の発明）
【００２０】
さらに本発明によれば、第五の発明における加速度評価装置を一ユニットとして、そのユニットをＸ，Ｙ，Ｚの３軸に直交するように配置して一体化させることにより、あらゆる方向の加速度を評価できる加速度評価装置を提案した。（第六の発明）
【００２１】
本発明において用いる永久磁石としては、着磁されたサマリウムコバルト磁石、ネオジウム磁石、フェライト磁石、ボンド磁石、アルニコ磁石などを用いることができる。なかでも、磁力の強さ、減磁曲線の直線性などからネオジウム磁石が好ましい。
【００２２】
また、これら永久磁石の態様としては必ずしも一個で構成される必要はなく、複数個の永久磁石を用いて一体化し、実質的に一個として機能すればよい。
【００２３】
本発明において用いる軟磁性体としては、永久磁石の磁力によって磁化されるものであればよく、磁性をもつステンレス、鉄、ニッケル、コバルト、鉄コバルト合金材料、その他合金材料、アモルファス材料、フェライト材料などを用いることができる。なかでも、軟磁気特性の高さから、鉄が好ましい。
【００２４】
また、これら軟磁性体は、本発明においては、可動部または固定部の永久磁石と一体化して使われるが、一体化する方法としては、粘着剤による方法、磁気的な吸着による方法ないしは機械的に結合させる方法などを使うことができる。
【００２５】
さらには、軟磁性材料の形状は、例えば、直方体、円柱状、リング状、球形状とすることができ、直方体、円柱状、リング状に関しては、径方向、軸方向においても用いることができる。  
【００２６】
さらに、軟磁性体は必ずしも一個で構成される必要はなく、複数個の軟磁性体を用いて一体化し実質的に一個として機能すればよい。
【００２７】
本発明において用いる電気的に接続または切断する機構とは、電気導体の接続又は遮断による方法のほか、可動部と固定部が磁気的に吸着・結合または磁気的に脱着・分離する際の、可動部周辺磁界分布の変化により接断するリレーなどを用いてもよい。
【００２８】
また、本発明において用いる電気回路には、単に回路の接続、切断のみでなく、該回路に接続または連動することによって、例えば、音や光を発する、あるいは文字を表示させる機能を有するものやそれらを組み合わせたものを用いても良い。  
【００２９】
本発明において用いるガイドは、透明な円筒状の構造のほか、複数の棒状の柱から構成される構造でもよい。また、永久磁石や軟磁性体を円筒状の構造にすることでその内径内に棒状の柱を配置させた構造でもよい。なかでも、透明な円筒状の構造のものが、組み立てやすく、また扱いやすいなどの点で好ましい。
【００３０】
ガイドの底板は、他の方法で加速度評価装置が周辺の器具や装置などに固定できれば、なくてもよい。
【００３１】
また本発明による加速度評価装置の、可動部が移動する空間を密閉し、空気以外の媒体例えば溶液を充填すると、その溶液の粘度を変えることによって、可動部と固定部が磁気的に吸着・結合する加速度の値が変化し、装置の設定値を調整することができる。
【００３２】
本発明の加速度評価装置においては、上述の構造の選択や、永久磁石の種類や形状、磁力の強さ、また軟磁性体の種類、磁気特性や形状、さらには永久磁石と軟磁性体の組み合わせ、装置の構成や大きさなどによって、評価する加速度の値や周波数の範囲を、自由に設定できる特徴を持つ。
【発明の効果】
【００３３】
本発明の加速度評価装置は、以下に示す効果を有する。
【００３４】
本発明の加速度評価装置は、構成要素がシンプルで、また駆動するための電源が不要であるため、設置場所の制約や取り付けに伴う作業の複雑化が防止される。
【００３５】
また振動などによる機器の故障や回路の断線などによる、計測が不可能になる場合もなく、設定した値以上の加速度が作用したか否かを、可動部と固定部の磁気的吸着・結合の状態を目視することで、すぐに確認することができる。
【００３６】
さらに、外部の電気回路等と連動してスイッチ機能を持たせ、アラームの発生や状態の表示、あるいは他の装置の接断など、機能を付加させることも可能である。
【００３７】
また、上記理由により携帯することが容易であることから、携帯用加速度評価装置として、従来は困難であった、例えば美術品などの輸送時に携帯することで、輸送時に設定値以上の加速度を加えていないかなどを確認する等、新しい分野での利用が可能である。
【００３８】
以上のように、本発明による加速度評価装置は、人間の動きにともなう小さい加速度から、地震による大きな加速度まで、幅広い範囲、様々な現象に対して利用可能であり、優れた加速度評価機能と多様な応用例を提供するものである。
【発明を実施するための最良の形態】
【００３９】
本発明を実施するための最良の形態について、図を参照して説明する。
【００４０】
第一の発明に対応する実施形態は、図１に示すように略鉛直状に立てられた加速度評価装置において、ガイド６内で反発する可動部（磁石）１と固定部（磁石）５の間に固定部（軟磁性体）２を挿入・配置することによって、この固定部（軟磁性体）２を媒介として、図２のように設定値以上の加速度でこれら反発しあった永久磁石を磁気的に吸着・結合させる現象を利用した加速度評価装置である。（なお、ガイドの底板は図示していない。）
【００４１】
固定部（磁石）５に固定部（軟磁性体）２を近づけると固定部（軟磁性体）２は磁化され図１のような磁化状態となる。
【００４２】
前記した固定部（磁石）５と固定部（軟磁性体）２を固定し、その上部に可動部（磁石）１をガイド６を用いて図１のように配置させた場合、向き合う面が同極となるため反発し合う。
【００４３】
上部の可動部（磁石）１に加速度が加わって固定部（軟磁性体）２に近づいた場合、固定部（軟磁性体）２の磁化状態が変化する。
【００４４】
この固定部（軟磁性体）２の磁化状態が変化することで、可動部（磁石）１と向き合う面が同極から徐々に変化し、最終的には、図２のように異極となり磁気的に吸着・結合する。
【００４５】
この状態を目視することによって、加わった加速度の大きさを評価する加速度検査装置として利用できる。
【００４６】
第二の発明に対応する実施形態は、永久磁石と軟磁性体というシンプルな組み合わせのままで、第一の発明に対応する実施形態の持つ機能のみならず、電気回路の接断を利用した装置の動作も可能とする加速度評価装置である。
【００４７】
具体的には、第一の発明に対応する実施形態に加えて、図３に示すように略鉛直状に立てられた加速度評価装置において、可動部（磁石）１と固定部（軟磁性体）２が磁気的に吸着・結合する面に、絶縁性の粘着層９と、導電層８からなる導体（テープ）を切断して図のように貼り付けて、設定値以上の加速度が加わった場合に、図４のように可動部（磁石）１の導電面が導電層８と接触して導通するスイッチとして利用するものである。（なお、ガイドの底板および加速度評価装置周辺以外の電気回路は図示していない。）  
【００４８】
また、図５のように、可動部（磁石）１と固定部（軟磁性体）２が磁気的に吸着・結合する面に設置した、折れやすい構造をした導電層８と絶縁性の粘着層９からなる導体が、設定値以上の加速度が加わった場合に、図６のように可動部（磁石）１が固定部（軟磁性体）２に吸着したときに間に挟まれ折れて断線するスイッチとして利用するものである。
【００４９】
第三の発明に対応する実施形態は、第一の発明に対応する実施形態と同様に、永久磁石と軟磁性体というシンプルな組み合わせのままで、第一の発明に対応する実施形態の持つ機能のみならず、電気回路の接断を利用した装置の動作も可能とする加速度評価装置である。
【００５０】
具体的には図７に示すように、固定部（磁石）５に固定部（中間層軟磁性体）４および固定部（軟磁性体）２を近づけると固定部（中間層軟磁性体）４および固定部（軟磁性体）２は磁化され図７のような磁化状態となり、磁気的に一体化される。
【００５１】
固定部（軟磁性体）２とその上部にある可動部（磁石）１は、図７のように配置させた場合向き合う面が同極となるため反発し合う。
【００５２】
上部の可動部（磁石）１に加速度が加わって固定部（軟磁性体）２に近づいた場合、固定部（軟磁性体）２の磁化状態が変化する。
【００５３】
上部可動部（磁石）１と向き合う固定部（軟磁性体）２の磁化状態が同極から徐々に変化し、可動部（磁石）１と固定部（軟磁性体）２が磁気的に吸着・結合し、その後新たな組み合わせの可動部（可動部（磁石）１と固定部（軟磁性体）２）を形成し、固定部（中間層軟磁性体）４と固定部（軟磁性体）２との間で磁気的に脱着・分離し、固定部永久磁石との結合状態から離れることにより、最終的に、新たな可動部が固定部の上部空間に浮上する状態（図８）を保持する。（なお、ガイドの底板は図示していない。）
【００５４】
この状態を目視することによって、加わった加速度の大きさを評価する加速度検査装置として利用できる。
【００５５】
第四の発明に対応する実施形態は、永久磁石と軟磁性体というシンプルな組み合わせのままで、第三の発明に対応する実施形態の持つ機能のみならず、電気回路の接断を利用した装置の動作も可能とする加速度評価装置である。
【００５６】
具体的には、図９に示すように略鉛直状に立てられた加速度評価装置において、固定部（磁石）５とこれに磁気的に吸着・結合している固定部（中間層軟磁性体）４および固定部（軟磁性体）２において、固定部（中間層軟磁性体）４と固定部（軟磁性体）２との結合面に、図３と同様の導電層８と絶縁性の粘着層９からなる導電体（テープ）を切断して図のように貼り付けてあり、あらかじめ固定部（軟磁性体）２が導電体として回路の一部を構成し、回路が導通状態である構造のものを、設定値以上の加速度が加わった場合に、可動部（磁石）１と固定部（軟磁性体）２が磁気的に吸着・結合し、その後新たな組み合わせの可動部（可動部（磁石）１と固定部（軟磁性体）２）を形成し、図１０のように固定部（中間層軟磁性体）４と固定部（軟磁性体）２との間で磁気的に脱着・分離し、固定部永久磁石との結合状態から離れることにより、  最終的に、新たな可動部が固定部の上部空間に浮上する状態（図１０）を保持することにより、電気回路の導通が遮断される。
【００５７】
このようにして、加速度が加わった場合の可動部（磁石）１の動きを、断線スイッチとして利用するものである。（なお、ガイドの底板および加速度評価装置周辺以外の電気回路は図示していない。）      
【００５８】
また、図１１に示すように略鉛直状に立てられた加速度評価装置において、固定部（磁石）５とこれに磁気的に吸着・結合している固定部（中間層軟磁性体）４および固定部（軟磁性体）２において、固定部（中間層軟磁性体）４と固定部（軟磁性体）２との結合面に、バネ性導電体８ａを切断して図のように貼り付けてあり、あらかじめ固定部（軟磁性体）２が固定部（中間層軟磁性体）４と磁気的に吸着・結合することで回路の一部が遮断され、回路が非導通状態である構造のものを、設定値以上の加速度が加わった場合に、可動部（磁石）１と固定部（軟磁性体）２が磁気的に吸着・結合し、その後新たな組み合わせの可動部（可動部（磁石）１と固定部（軟磁性体）２）を形成し、図１２のように固定部（中間層軟磁性体）４と固定部（軟磁性体）２との間で磁気的に脱着・分離し、固定部永久磁石との結合状態から離れることにより、  最終的に、新たな可動部が固定部の上部空間に浮上する状態（図１２）を保持するとともに、バネ性導電体８ａが接触し、電気回路の導通が接続される。
【００５９】
このようにして、加速度が加わった場合の可動部（磁石）１の動きを、接続スイッチとして利用するものである。（なお、ガイドの底板および加速度評価装置周辺以外の電気回路は図示していない。）      
【００６０】
第五の発明に対応した実施形態は、可動部が二組の同じ構成の固定部の間に挟まれて存在し、加速度によりいずれの方向に近づいても、固定部と磁気的に吸着・結合または脱着・分離が可能となり、よりすばやい、かつ確実な加速度の評価を可能とする加速度評価装置である。
【００６１】
具体的には、図１３に示すように略鉛直状に立てられた加速度評価装置において、可動部（磁石）１を、可動部と反発する固定部（固定部（下部磁石）５ｂおよび固定部（上部磁石）５ａの中間に挟み込む構造としたものにおいて、それぞれの固定部（磁石）（５ａと５ｂ）の可動部側の磁極に固定部（上部および下部軟磁性体）（２ａと２ｂ）を吸着・一体化させた構造とする。設定値以上の加速度が加わった場合、図１４のように、固定部（下部軟磁性体）２ｂの磁化状態が変化することで可動部（磁石）１と磁気的に吸着・結合する。逆方向に加速度が加わった場合には、可動部（磁石）１は固定部（上部軟磁性体）２ａと磁気的に吸着・結合する。
【００６２】
このように、いずれの方向に対しても可動部が固定部と磁気的に吸着・結合でき、加速度を評価できる。（なお、ガイドの底板は図示していない。）    
【００６３】
さらに、図１５に示すように略鉛直状に立てられた加速度評価装置において、可動部（磁石）１を、可動部と反発する二組の固定部（下部磁石５ｂおよび上部磁石５ａ）の中間に挟み込む構造としたものにおいて、それぞれの永久磁石（５ａと５ｂ）の可動部側の磁極に軟磁性体（４ａと２ａ、４ｂと２ｂ）を吸着・一体化させた構造とする。設定値以上の加速度が加わった場合、固定部（下部軟磁性体）２ｂの磁化状態が変化することで可動部（磁石）１と磁気的に吸着・結合する。その後新たな組み合わせの可動部（可動部（磁石）１と固定部（下部軟磁性体）２ｂ）を形成し、図１６のように軟磁性体４ｂと２ｂとの間で磁気的に脱着・分離し、固定部永久磁石との結合状態から離れることにより、最終的には、新たな可動部が固定部の上部空間に浮上する状態（図１６）を保持する。
【００６４】
この状態を目視することによって、加わった加速度の大きさを評価する加速度検査装置として利用できる。  
【００６５】
逆方向に加速度が加わった場合には、可動部（磁石）１は固定部（上部軟磁性体）２ａと磁気的に吸着・結合し、新たな可動部となって、下部固定部の上部空間に浮上する状態を保持する。
【００６６】
このように、いずれの方向に対しても可動部が固定部と磁気的に吸着・結合でき、加速度を評価できる。（なお、ガイドの底板は図示していない。）    
【００６７】
第六の発明に対応した実施形態は、第五の発明に対応した実施形態に記載された加速度評価装置を１ユニットとして、このユニットをＸ、Ｙ、Ｚの直交する３軸に配置して一体化した構成の加速度評価装置である。
【００６８】
具体的には、図１７に示すように各ユニットを直交・３軸化して一体化させることで、この３軸加速度評価装置１１をどのように配置してもあらゆる方向で加速度の評価ができ、より実際の現象に対応した評価を可能とするものである。
【００６９】
この３軸の各ユニットは必ずしも同じ構成のユニットである必要は無く、例えば、Ｘ軸は第五の発明に対応した実施形態のうち、第一の発明に対応する実施形態のもの、Ｙ軸は第五の発明に対応した実施形態のうち、第二の発明に対応する実施形態のもの、Ｚ軸は第一の発明に対応した実施形態のもの、を用いてもよい。（なおＺ軸方向は、略鉛直方向とする。）
【実施例】
【００７０】
本発明を実施例にもとづき更に詳細に説明するが、本発明はこれらの実施例のみに限定されるものではない。
【００７１】
実験装置の構成を図１８に、実験装置によって得られた実験結果を図１９に示す。
【００７２】
図１８には、振動を加える場合の実験装置の構成を示す。信号発生器（２４１６Ａ、東洋テクニカ製）で正弦波を発生させ、増幅器（ＭＯＤＥＬ１１４、  ＡＲ  ＢＲＯＷＮ製）を用いて増幅させることで加振器（ＭＯＤＥＬ１１３、ＡＲ  ＢＲＯＷＮ製）は動作する。加振台には、標準センサ（ＳＡ−１２０Ｒ、ＣＯＬＵＭＢＩＡ  ＲＥＡＳＥＡＲＣＨ製）と本発明の加速度評価装置を固定させ、標準センサの信号と信号発生器の信号をＡ／Ｄ変換カード（ＮＲ−１１０、ＫＥＹＥＮＣＥ製）によってパソコンに保存し解析する。使用した標準センサは駆動させるための電源が必要で、その共鳴周波数が６０Ｈｚ程度のものを用いた。出力は加速度（Ｇ）に比例し、ＤＣから共鳴周波数の１／３以下のおよそ２０  Ｈｚまでは、周波数に依存せず一定の２．５Ｖ／Ｇを出力する。Ｚ軸方向で用いる場合は、静止した状態で重力１Ｇがかかるため、バイアス電圧２．５Ｖを差し引くことで振動による変化分を求めることができる。計測は、１．０から２０．０Ｈｚの範囲で加速度の大きさを３Ｇ程度まで増加させて行い、徐々に加速度の大きさを増加させることで可動部と固定部が磁気的に吸着・結合する加速度の値を同じ周波数において３回以上測定を行った。
【００７３】
加速度評価装置は図１３の構成とし、可動部（磁石）１として直径３ｍｍ長さ１２ｍｍのネオジウム磁石、固定部（下部軟磁性体）２ｂとして直径３．２ｍｍ長さ６．４ｍｍの純鉄製円柱、固定部（上部磁石）５ａおよび固定部（下部磁石）５ｂとして直径３ｍｍ長さ１．５ｍｍのネオジウム磁石、ガイド６として内径３．６ｍｍ外径４．２ｍｍ幅５０ｍｍのプラスチックパイプ、とした。なお、可動部（磁石）１は、長さが１．５ｍｍの磁石を８個一体化したものを用いている。  
【００７４】
これらを粘着テープを用いて固定した上部磁石固定台７ａおよび下部磁石固定台７ｂに配置し、可動部が固定部に近づき磁気的な吸着・結合を起こすときの加速度の値を周波数を変えて測定した。振動方向は重力の方向である。  
【００７５】
結果を図１９に示す。
【００７６】
この構成では、２Ｈｚのとき約１．０２Ｇ以上の加速度を印加することで動作する、即ち磁気的な吸着・結合が起こる。さらに周波数を高くすると動作する加速度の値は徐々に減少し、周波数１０Ｈｚにおいて最小となり、約０．２５Ｇ以上の加速度で動作する。さらに周波数が高くなると動作する加速度の値は急激に上昇し１４Ｈｚのとき約１．１１Ｇ以上の加速度を印加することで動作する。動作する加速度の値は、同じ周波数において３回以上測定しているがほぼ同じ値である。
【００７７】
本実施例によれば、可動部と固定部の磁気的吸着・結合が、加速度と周波数との間で一定の関係で起きる。この磁気的吸着・結合が起きる条件を詳細に把握することにより、様々な加速度の値に反応する加速度評価装置が作製可能である。
【００７８】
本発明者らは、装置の作製に資するため、更に多くの実施例を実験・検討することにより、磁気的吸着・結合が起きる加速度と周波数との関係についての傾向を把握した。図２０，２１に結果を示す。
【産業上の利用可能性】
【００７９】
以上述べたように、本発明の加速度評価装置は、構成要素が複雑でなく、センサ等を駆動するための電源が不要であり、また設置場所の制約や取り付けに伴う作業の複雑化が防止される。
【００８０】
また、可動部と固定部の磁気的吸着・結合の状態を目視することで、設定値以上の加速度が作用したか否か、直ちに確認できる。
【００８１】
さらには、上記の理由から、携帯することが容易であるため携帯用振動検査器として、今まで評価できなかったような例、例えば美術品などの輸送時に携帯することで、設定値以上の振動を加えていないかなどの検査や、地震の震度評価装置として、地震後に回収し評価できる装置などに利用できる。
【００８２】
このように本発明による加速度評価装置は、人間の動きにともなう小さい加速度から、地震による大きな加速度まで、幅広い範囲、様々な現象に対して利用可能であり、構成も複雑でないため、廉価でまた量産にも適するものである。  
【図面の簡単な説明】
【００８３】
【図１】可動部と固定部が磁気的に吸着・結合する前の加速度評価装置である。
【図２】図１において、可動部と固定部が磁気的に吸着・結合した後の加速度評価装置である。
【図３】可動部と固定部が磁気的に吸着・結合する前の電気回路スイッチのオフ状態である。
【図４】図３において、可動部と固定部が磁気的に吸着・結合した後の電気回路ス  イッチのオン状態である。
【図５】可動部と固定部が磁気的に吸着・結合する前の電気回路スイッチのオフ状        態である。
【図６】図５において、可動部と固定部が磁気的に吸着・結合した後の電気回路ス        イッチのオフ状態である。
【図７】可動部と固定部が磁気的に吸着・結合する前の加速度評価装置である。
【図８】図７において、可動部と固定部が磁気的に吸着・結合しさらに脱着・分離した後の加速度評価装置である。
【図９】可動部と固定部が磁気的に吸着・結合する前の電気回路スイッチのオン状態である。
【図１０】図９において、可動部と固定部が磁気的に吸着・結合しさらに脱着・分離した後の電気回路スイッチのオフ状態である。
【図１１】可動部と固定部が磁気的に吸着・結合する前の電気回路スイッチのオフ  状態である。
【図１２】図１１において、可動部と固定部が磁気的に吸着・結合しさらに脱着・分離した後の電気回路スイッチのオン状態である。
【図１３】可動部と固定部が磁気的に吸着・結合する前の加速度評価装置
【図１４】図１３において、可動部と固定部が磁気的に吸着・結合した後の加速度            評価装置である。
【図１５】可動部と固定部が磁気的に吸着・結合する前の加速度評価装置
【図１６】図１５において、可動部と固定部が磁気的に吸着・結合しさらに脱着・分離した後の加速度評価装置である。
【図１７】３軸式加速度評価装置である。
【図１８】実験装置の構成である。
【図１９】加速度評価装置の動作する加速度の周波数応答の実験結果である。
【図２０】加速度評価装置の動作する加速度の周波数応答の傾向を示す実験結果のまとめである。
【図２１】加速度評価装置の動作する加速度の周波数応答の傾向を示す実験結果の  まとめである。
【符号の説明】
【００８４】
１  ：  可動部（磁石）
２  ：  固定部（軟磁性体）
２ａ：  固定部（上部軟磁性体）
２ｂ：  固定部（下部軟磁性体）
３  ：  可動部（軟磁性体）  
４  ：  固定部（中間層軟磁性体）
４ａ：  固定部（中間層上部軟磁性体）
４ｂ：  固定部（中間層下部軟磁性体）
５  ：  固定部（磁石）
５ａ：  固定部（上部磁石）
５ｂ：  固定部（下部磁石）
６  ：  ガイド
７  ：  磁石固定台
７ａ：  上部磁石固定台
７ｂ：  下部磁石固定台
８  ：  導電層（導電テープの上部）
８ａ：  導電層（バネ性導電体）
９  ：  絶縁性の粘着層（導電テープの下部）
１０：  加速度評価装置
１０ａ：  Ｚ軸加速度評価装置  
１０ｂ：  Ｙ軸加速度評価装置
１０ｃ：  Ｘ軸加速度評価装置
１１  ：  ３軸加速度評価装置
【図１】
2007205844.tif 000003
【図２】
2007205844.tif 000004
【図３】
2007205844.tif 000005
【図４】
2007205844.tif 000006
【図５】
2007205844.tif 000007
【図６】
2007205844.tif 000008
【図７】
2007205844.tif 000009
【図８】
2007205844.tif 000010
【図９】
2007205844.tif 000011
【図１０】
2007205844.tif 000012
【図１１】
2007205844.tif 000013
【図１２】
2007205844.tif 000014
【図１３】
2007205844.tif 000015
【図１４】
2007205844.tif 000016
【図１５】
2007205844.tif 000017
【図１６】
2007205844.tif 000018
【図１７】
2007205844.tif 000019
【図１８】
2007205844.tif 000020
【図１９】
2007205844.tif 000021
【図２０】
2007205844.tif 000022
【図２１】
2007205844.tif 000023